(57)【要約】【課題】複数種類の遊技球の中から特定種類の遊技球を検査選別する遊技球選別装置を提供する。【解決手段】複数種類の遊技球の中から特定種類の遊技球ＧＢを検査選別する装置であって、被検査球を装置１０内に投入する投入部１１と、前記投入部に投入された被検査球を複数の検査レーン１３に列状に配列する配列部２０と、前記配列部の各検査レーンに配置され特定種類の遊技球を検知するセンサ３１，３２を備えた検査部３０と、前記センサによって作動され前記センサによって検知された特定種類の遊技球を前記配列部と異なる選別部４２に振り分ける振り分け部４０と、前記選別部から特定種類の遊技球を機外へ排出する選別排出部４３と、前記配列部から特定種類以外の遊技球を機外へ排出する一般排出部４５とを有する。【選択図】　　　　図１
0003098744.tif 000002
【実用新案登録請求の範囲】
【請求項１】
複数種類の遊技球の中から特定種類の遊技球を検査選別する装置であって、
被検査球を装置内に投入する投入部と、
前記投入部に投入された被検査球を複数の検査レーンに列状に配列する配列部と、
前記配列部の各検査レーンに配置され特定種類の遊技球を検知するセンサを備えた検査部と、
前記センサによって作動され前記センサによって検知された特定種類の遊技球を前記配列部と異なる選別部に振り分ける振り分け部と、
前記選別部から特定種類の遊技球を機外へ排出する選別排出部と、
前記配列部から特定種類以外の遊技球を機外へ排出する一般排出部
とを有することを特徴とする遊技球選別装置。
【請求項２】
前記検査部のセンサが遊技球の特定の表面色を検知する光電センサである請求項１に記載の遊技球選別装置。
【請求項３】
前記選別部に特定種類の遊技球を再検知するセンサを備えた再検査部を有する請求項１又は２に記載の遊技球選別装置。
【請求項４】
前記再検査部のセンサによって検知されなかった特定種類以外の遊技球を前記一般排出部へ導入する導入部を有する請求項３に記載の遊技球選別装置。
【請求項５】
前記選別排出部に特定種類の遊技球を計数する計数手段を有する請求項１ないし４のいずれか１項に記載の遊技球選別装置。
【考案の詳細な説明】
【０００１】
【考案の属する技術分野】
この考案は、複数種類の遊技球の中から特定種類の遊技球を検査選別する装置に関する。
【０００２】
【従来の技術】
従来、例えばパチンコの遊技球を計数する装置が知られている。（例えば、特開２０００−２６２７３０号公報参照）。
【０００３】
これに対して、近年複数種類の遊技球を使用して、ユーザーが交換率の違う遊技機を自由に選択して遊戯し、得た球技球を所定の交換率で計数するシステムが提案されている。しかしがら、交換率の違う遊技機で得た遊技球が、他の交換率の遊技球に混入したまま計数機で同じ交換率として計数してしまう問題がある。これは管理者及びユーザーのいずれにも損害が発生する可能性があり好ましくない。
【０００４】
【考案が解決しようとする課題】
この考案は前記の点に鑑みなされたもので、複数種類の遊技球の中から特定種類の遊技球を検査選別する装置を提供するものである。
【０００５】
【課題を解決するための手段】
すなわち、請求項１の考案は、複数種類の遊技球の中から特定種類の遊技球を検査選別する装置であって、被検査球を装置内に投入する投入部と、前記投入部に投入された被検査球を複数の検査レーンに列状に配列する配列部と、前記配列部の各検査レーンに配置され特定種類の遊技球を検知するセンサを備えた検査部と、前記センサによって作動され前記センサによって検知された特定種類の遊技球を前記配列部と異なる選別部に振り分ける振り分け部と、前記選別部から特定種類の遊技球を機外へ排出する選別排出部と、前記配列部から特定種類以外の遊技球を機外へ排出する一般排出部とを有することを特徴とする遊技球選別装置に係る。
【０００６】
また、請求項２の考案は、前記検査部のセンサが遊技球の特定の表面色を検知する光電センサである請求項１に記載の遊技球選別装置に係る。
【０００７】
さらに、請求項３の考案は、前記選別部に特定種類の遊技球を再検知するセンサを備えた再検査部を有する請求項１又は２に記載の遊技球選別装置に係る。
【０００８】
請求項４の考案は、前記再検査部のセンサによって検知されなかった特定種類以外の遊技球を前記一般排出部へ導入する導入部を有する請求項３に記載の遊技球選別装置に係る。
【０００９】
請求項５の考案は、前記選別排出部に特定種類の遊技球を計数する計数手段を有する請求項１ないし４のいずれか１項に記載の遊技球選別装置に係る。
【００１０】
【考案の実施の形態】
以下添付の図面に従ってこの考案を詳細に説明する。
図１はこの考案の一実施例に係る遊技球振り分け装置の内部構造を示す概略図、図２は図１の２−２矢視図、図３は検査部を示す分解斜視図、図４は検査部における遊技球通過時を示す拡大図、図５は検査部における遊技球振り分け時を示す拡大図、図６は図１の６−６矢視図、図７は最終検査部の一実施例を示す拡大図である。
【００１１】
この考案の遊技球選別装置は、複数種類中から特定種類の遊技球を検査選別する装置であって、遊技球の種類としては、交換率の違いを明らかにするために、色や材質の異なるものや、遊技球にＩＤチップなどの識別子を埋め込んだものなどが提案される。特にこの実施例装置では、パチンコの遊技球として通常使用されている銀色の遊技球ＳＢに混入したメッキ塗装された金色の遊技球ＧＢを特定種類の遊技球として検査選別することを目的とする。この遊技球の検査選別及び振り分けに関しては、当然、特定種類の球技球として扱う遊技球の色が逆の場合もあり、特定種類とそれ以外の遊技球がほぼ同量の場合にも使用することができる。
【００１２】
該遊技球選別装置は、図１の概略図に示すように、主に、投入部１１と、配列部２０と、検査部３０と、振り分け部４０と、選別排出部４３と、一般排出部４５からなるものである。以下に、それぞれ詳しく説明する。
【００１３】
投入部１１は、被検査球を投入し易いよう装置上面に広く形成されており、該投入部１１に投入された被検査球は装置開口部１２へ導入される。なお、実施例の投入部１１は、前記装置開口部１２へ傾斜しており、その上面には遊技球の衝撃を和らげる緩衝ゴムシート等が貼着されるのが好ましい。
【００１４】
配列部２０は、図２からも解るように前記装置開口部１２に導入された被検査球が、一旦貯留され装置内の複数の検査レーン１３，１３，１３．．．にそれぞれ１列ずつに整列させた状態で順次導入していくように案内壁２１が設けられたものである。図において、符号２２は被検査球の整列した進入を促す整流部材である。
【００１５】
検査部３０は、前記各検査レーン１３に設けられたセンサにより特定種類の遊技球ＧＢを検知する。実施例の検査部は、請求項２にも規定するように、特定の表面色を検知する光電センサを備えたものである。
実施例の検査部３０は、図２及び図３からもよく解るように、各検査レーン１３の検査部３０にそれぞれ２個のセンサ３１，３２を配置し、ストッパ３３，３４を用いて確実な検査を行っている。この例では、検査部３０を順次通過していく被検査球のうち、第１センサ３１前を通過し、前記センサ３１により特定種類遊技球ＧＢである疑いがあると検知されると、第１ストッパ３３がその被検査球の前に突出して停止し、またその後第２ストッパ３４が後続の遊技球を停止させる。そして、その被検査球のみを第２センサ３２で改めて検査する。このような構成とすることによって、遊技球を停止して確実に検査するとともに、遊技球が回転することによって第１センサ３１時点よりも異なった面を検査できるという点でも確実性が上がる。
【００１６】
振り分け部４０は、前記検査部３０で検知された特定種類の遊技球を前記配列部２０とは異なる選別部４２に振り分けるものである。実施例の振り分け部４０の構造は、図５にも示したように、特定種類の遊技球ＧＢが前記検査部３０位置において、検査レーン１３の底面に形成された開閉床４１をプッシャ３５で押し下げることにより、前記選別部４２へ振り分けるものである。
【００１７】
前記検査部３０のセンサは、実施例では、請求項２にも規定したように、遊技球の色の差異を判別できる公知の光電センサ３１，３２からなる。前記光電センサは安価で好ましく、図３にも示すように、実施例では各検査レーン１３の検査部３０に上方から下向きに設置したものである。なお、渦電流センサ、近接センサ、画像センサ等を適宜で用いることにより遊技球の表面色の差異だけではなく、材質の差異なども判別することも可能になる。またそれぞれセンサには図示しないアンプ等の補器類が接続される。
【００１８】
前記選別部４２に振り分けられた特定種類の遊技球ＧＢは、選別排出部４３から機外へ排出され、また、前記検査部３０を特定種類以外として通過した遊技球ＳＢは一般排出部４５から機外へ排出される。
【００１９】
なお、実施例の遊技球選別装置１０においては、請求項３に規定したように、選別部４２に特定種類の遊技球ＧＢを再検知するセンサを備えた再検査部５０を有する。再検査部５０では、前記検査部３０同様の構造（図３参照）で検査を行い、やはり特定種類の遊技球ＧＢとして検知された場合は、そのまま前記選別排出部４３から機外に排出される。
【００２０】
また、この再検査部５０で、先の検査部３０での判定とは反対に特定種類以外の遊技球ＳＢと判定された場合には、当該再検査部５０の側壁に設けられたプッシャ５５がこの遊技球ＳＢを導入部４６へ押し出し、押し出された遊技球ＳＢは前記一般排出部４５より排出される。
前記各検査部３０，５０に用いられるストッパ及び分岐のためのプッシャは、実施例においてそれぞれエアシリンダによるもので、各センサからの信号で作動する。
【００２１】
また、この遊技球選別装置では、前記選別排出部４２及び一般排出部４５のいずれか一方、もしくは両方に計数手段（図示せず）を設け、それぞれの出口から排出される遊技球ＳＢ，ＧＢの数をカウントすることができる構造としている。前記計数手段としては、磁気を利用したものや、近接スイッチからなるものなど公知の計数装置を使用することができる。または、当該遊技球選別機１０を従来の遊技球計数機の上部に配置し、前記一般排出部４５から排出された通常色の遊技球ＳＢがそのまま所定の遊技球計数機の装置開口部より投入される構造としてもよい。この場合、従来の遊技球計数機をそのまま用いることができるため、当該遊技球選別機１０を在来の遊技球計数システムの中にそのまま利用することができる。
【００２２】
【考案の効果】
以上図示し説明したように、この考案の遊技球選別機によれば、投入部と、配列部と、検査部と、振り分け部と、選別排出部と、一般排出部とからなり、効果的にかつ確実に特定種類の遊技球を検査選別することができる。
【００２３】
また、この遊技球選別機によれば計数手段を備えることにより、従来のように配当率の違う遊技球を一緒に計数してしまうことがなくなるため、管理者側及び遊技者側ともに不利益がなくなり、このようなシステムにおいて飛躍的に利便性が向上する。
【図面の簡単な説明】
【図１】この考案の一実施例に係る遊技球振り分け装置の内部構造を示す概略図である。
【図２】図１の２−２矢視図である。
【図３】検査部を示す分解斜視図である。
【図４】検査部における遊技球通過時を示す拡大図である。
【図５】検査部における遊技球振り分け時を示す拡大図である。
【図６】図１の６−６矢視図である。
【図７】最終検査部の一実施例を示す拡大図である。
【符号の説明】
１０　遊技球選別機
１１　投入部
１３　検査レーン
２０　配列部
３０　検査部
３１，３２　センサ
３３，３４　ストッパ
３５　プッシャ
４０　振り分け部
４２　選別部
４３　選別排出部
４５　一般排出部
５０　再検査部
ＧＢ　特定種類遊技球（金色）
ＳＢ　特定種類外遊技球（銀色）
【図１】
0003098744.tif 000003
【図２】
0003098744.tif 000004
【図３】
0003098744.tif 000005
【図４】
0003098744.tif 000006
【図５】
0003098744.tif 000007
【図６】
0003098744.tif 000008
【図７】
0003098744.tif 000009